(57)【要約】【課題】  自閉する引出しを、従来よりも小さな力で引き出すことが可能なスライドレール、および、スライドレールを備えた引出し付きキャビネットを提供する。【解決手段】  キャビネット１０に取り付けられる固定レール３１と、引出し２０に取り付けられる可動レール３２と、ゼンマイバネ３３２を有する引き込み装置３３と、引出し２０を引き込む動作を緩衝するダンパー３４と、を備え、引き込み装置３３は、引出し２０をキャビネット１０から引き出すことにより可動レール３２が移動するのに伴ってゼンマイバネ３３２にエネルギーを蓄えて、引出し２０をキャビネット１０内に引き込む際には、蓄えられたエネルギーによってゼンマイバネ３３２が元に戻る力によって引出し２０を引き込むようにした。【選択図】  図７
2015208591.tif 000002
【特許請求の範囲】
【請求項１】
キャビネットに取り付けられる固定レールと、引出しに取り付けられる可動レールと、ゼンマイバネを有する引き込み装置と、前記引出しを引き込む動作を緩衝するダンパーと、を備え、
前記引き込み装置は、前記引出しを前記キャビネットから引き出すことにより前記可動レールが移動するのに伴って前記ゼンマイバネにエネルギーを蓄えて、前記引出しを前記キャビネット内に引き込む際には、前記蓄えられたエネルギーによって前記ゼンマイバネが元に戻る力によって前記引出しを引き込むようにしたことを特徴とするスライドレール。
【請求項２】
前記引き込み装置を、前記可動レールが前記固定レールに沿ってスライドする移動軌道から外れた位置に配設したことを特徴とする請求項１記載のスライドレール。
【請求項３】
前記固定レールは、前記キャビネットの側板に沿う縦壁部と、前記縦壁部の下方で前記可動レールを支持する下壁部と、を有し、
前記縦壁部と平行になるように、前記引き込み装置を固定レールに取り付けたことを特徴とする請求項２記載のスライドレール。
【請求項４】
前記固定レールの下壁部を上下に貫く貫通部を設け、
前記貫通部より下方にゼンマイバネの回転軸が位置するように前記引き込み装置を前記固定レールよりも下方に配設したことを特徴とする請求項３記載のスライドレール。
【請求項５】
前記引き込み装置を、前記固定レールの縦壁部のキャビネットの側板側の面に取り付けたことを特徴とする請求項３記載のスライドレール。
【請求項６】
前記固定レールの縦壁部の上端部に前記引き込み装置を取り付けたことを特徴とする請求項３記載のスライドレール。
【請求項７】
前記固定レールの後端部に前記引き込み装置を取り付けたことを特徴とする請求項３記載のスライドレール。
【請求項８】
請求項１〜７のいずれか１項に記載のスライドレールを備えた引出し付きのキャビネットであって、
前記固定レールを前記キャビネットの側板に取り付け、前記可動レールを前記引出しに取り付けたことを特徴とする引出し付きキャビネット。
【発明の詳細な説明】
【技術分野】
【０００１】
本発明は、引出し用のスライドレール、および、スライドレールを備えた引出し付きキャビネットに関する。
【背景技術】
【０００２】
特許文献１は、家具の可動部分の閉動作と引き込みを行うための装置であり、閉じる際の騒音を生じることなく、閉動作プロセスをソフトにして、その寿命を長くするために、閉動作ダンパー装置と組み合わされ、そのダンパー装置は流体ダンパーにより形成されている。この流体ダンパーは、回転ダンパーか線形ダンパーかのいずれかであり、この閉動作および／または引き込みのための装置は、閉動作ダンパー装置と組み合わされて、非常にコンパクトに構成されている。
【０００３】
可動レールは、引出しがゆっくりと且つ確実に閉まるように、引出しをキャビネットに引き込むバネと、引出しを引き込む動作を緩衝するダンパー装置とを備えている。これにより、バネによって引出しが自閉する途中で手を離しても、確実に、且つ、ゆっくりと静かに閉じることができる。
【先行技術文献】
【特許文献】
【０００４】
【特許文献１】特開２００１−２４５７３８号公報
【発明の概要】
【発明が解決しようとする課題】
【０００５】
ところが、この装置は、引出しをコイルバネによって引き込むように構成されている。そのため、引出しを引き出すほどコイルバネのバネ力が比例的に大きくなるので、引き出し時に重さを感じてしまう、という問題があった。
【０００６】
そこで、本発明は、自閉する引出しを、従来よりも小さな力で引き出すことが可能なスライドレール、および、スライドレールを備えた引出し付きキャビネットを提供することを目的とする。
【課題を解決するための手段】
【０００７】
本発明は、上記した課題を解決するために成されたスライドレールであり、キャビネットに取り付けられる固定レールと、引出しに取り付けられる可動レールと、ゼンマイバネを有する引き込み装置と、前記引出しを引き込む動作を緩衝するダンパーと、を備え、前記引き込み装置は、前記引出しを前記キャビネットから引き出すことにより前記可動レールが移動するのに伴って前記ゼンマイバネにエネルギーを蓄えて、前記引出しを前記キャビネット内に引き込む際には、前記蓄えられたエネルギーによって前記ゼンマイバネが元に戻る力によって前記引出しを引き込むようにしたことを特徴とする。
【０００８】
このスライドレールによれば、ゼンマイバネを用いることにより、従来よりも軽い力で引出しを引き出すことが可能となる。もちろん、引出しを閉じる際にも、確実に、且つ、ゆっくりと静かに閉じることができる。
【０００９】
また、このスライドレールでは、前記引き込み装置を、前記可動レールが前記固定レールに沿ってスライドする移動軌道から外れた位置に配設することが好ましい。
【００１０】
これによれば、ゼンマイバネを可動レールからはみ出す大きさにすることが可能である。
【００１１】
また、このスライドレールでは、前記固定レールは、前記キャビネットの側板に沿う縦壁部と、前記縦壁部の下方で前記可動レールを支持する下壁部と、を有し、前記縦壁部と平行になるように、前記引き込み装置を固定レールに取り付けることが好ましい。
【００１２】
これによれば、偏平なゼンマイバネがキャビネットの側板に沿う姿勢となるので、ゼンマイバネが収納スペースを狭くすることがない。
【００１３】
さらに、このスライドレールでは、前記固定レールの下壁部を上下に貫く貫通部を設け、前記貫通部より下方にゼンマイバネの回転軸が位置するように前記引き込み装置を前記固定レールよりも下方に配設することも好ましい。
【００１４】
これによれば、引き込み装置をキャビネットの蹴込部に収めることが可能なので、引出しを可動レールから取り外した場合でも引き込み装置がほとんど露出することがない。そのため、引き込み装置をいたずらされにくくなる。
【００１５】
また、このスライドレールでは、前記引き込み装置を、前記固定レールの縦壁部のキャビネットの側板側の面に取り付けることが好ましい。
【００１６】
これによれば、引き込み装置をキャビネットの側板内に収めることが可能なので、引出しを可動レールから取り外した場合でも引き込み装置が露出することがない。そのため、引き込み装置をいたずらされにくくなる。
【００１７】
また、このスライドレールでは、前記固定レールの縦壁部の上端部に前記引き込み装置を取り付けることが好ましい。
【００１８】
これによれば、キャビネットに特別な加工を施さなくても引き込み装置を用いることができるので、製造コストを抑えることができる。
【００１９】
また、このスライドレールでは、前記固定レールの後端部に前記引き込み装置を取り付けることが好ましい。
【００２０】
これによれば、キャビネットに特別な加工を施さなくても引き込み装置を用いることができるので、製造コストを抑えることができる。
【００２１】
また、上記した課題を解決するために、引出し付きキャビネットは、上記したうちのいずれかのスライドレールを備え、前記固定レールを前記キャビネットの側板に取り付け、前記可動レールを前記引出しに取り付けたことを特徴とする。
【００２２】
この引出し付きキャビネットによれば、引き出された引出しを自閉するために引出しを閉じる方向（引き込む方向）に付勢する手段としてゼンマイバネを用いている。ゼンマイバネは、従来使用されていたコイルバネより、引出しを引き出す量に対するバネ力の変化の度合いが小さく、バネ力は緩やかに変化する。引出しを引き出そうとする際には、ゼンマイバネが引出しを閉じようとする力に抗って引出しを引き出すが、ゼンマイバネはコイルバネよりも緩やかにバネ力が変化するので、従来よりも小さな力で引出しを引き出すことが可能となる。もちろん、引出しを閉じる際にも、ゼンマイバネによって、確実に、且つ、ゆっくりと静かに閉じることができる。
【発明の効果】
【００２３】
本発明によれば、自閉する引出しを、従来よりも小さな力で引き出すことが可能なスライドレール、および、スライドレールを備えた引出し付きキャビネットを提供するが可能となる。
【図面の簡単な説明】
【００２４】
【図１】引出し付きキャビネットを表す斜視図である。
【図２】本発明の実施の形態にかかるスライドレールをキャビネットに取り付けた状態を表す斜視図である。
【図３】図２に表したスライドレールを後方から眺めた斜視図である。
【図４】図２に表したスライドレールを側面から眺めた側面図である。
【図５】キャビネットに引出しを閉じた状態で、スライドレールを後方から眺めた斜視図である。
【図６】引き込み装置の内部を表す模式図である。
【図７】引出しを引いたときの引き込み装置の動作を表す図である。
【図８】引出しを引き出す量とバネ力の関係を表す図である。
【図９】引き込み装置をスライドレールに取り付けた第一具体例を表す図である。
【図１０】引き込み装置をスライドレールに取り付けた第二具体例を表す図である。
【図１１】引き込み装置をスライドレールに取り付けた第三具体例を表す図である。
【図１２】引き込み装置をスライドレールに取り付けた第四具体例を表す図である。
【発明を実施するための形態】
【００２５】
以下、図面を参照しつつ、本発明の実施の形態について説明する。
図１は、引出し付きキャビネットを表す斜視図である。
キャビネット１０は、前面開口から出し入れ自在とされた引出し２０と、引出し２０を前後にスライドさせるスライドレール３０と、を備えている。
【００２６】
図２は、スライドレールをキャビネットに取り付けた状態を表す斜視図、図３は、スライドレールを後方から眺めた斜視図、図４は、スライドレールを側面から眺めた側面図、図５は、キャビネットに引出しを閉じた状態で、スライドレールを後方から眺めた斜視図、図６は、引き込み装置の内部を表す模式図である。
【００２７】
スライドレール３０は、固定レール３１と、固定レール３１に対してスライドする可動レール３２と、固定レール３１に取り付けられた引き込み装置３３と、を備えている。
【００２８】
固定レール３１は、キャビネット１０の側板１１に取り付けられている。一方、可動レール３２は、引出し２０の側板２１に取り付けられている、あるいは、引出し２０の側板２１と一体化されている。
【００２９】
引き込み装置３３は、円筒状のケース３３１内にゼンマイバネ３３２を収納し、ゼンマイバネ３３２の中心を保持する回転軸３３３がケース３３１から外部に露出している。引き込み装置３３は、この回転軸３３３を固定レール３１に回転不能に取り付けている。より具体的には、固定レール３１に付設された補助板３１１に回転軸３３３を取り付けている。ケース３３１の円筒面３３１ａには紐３３４の端部が固定された上で巻き付けられている。紐３３４を引っ張ると、ケース３３１が回転して内部のゼンマイバネ３３２が縮んでエネルギーを蓄え、エネルギーを蓄えた状態で紐３３４を離すと、蓄えられたエネルギーを開放してゼンマイバネ３３２は元の形に復帰する。
【００３０】
次に、引出し２０と引き込み装置３３との関係について説明する。
図７は、引出しを引いたときの引き込み装置の動作を表す図、図８は、引出しを引き出す量とバネ力の関係を表す図である。
【００３１】
キャビネット１０には、前後に移動可能な連結子４０が設けられている。連結子４０は、キャビネット１０の側板１１に形成された案内路１１１に沿って前後に移動可能である。また、この連結子４０には、紐３３４の先端が取り付けられている。
【００３２】
可動レール３２には、固定レール３１に対する可動レール３２のスライドに伴って連結子４０を同じ方向にスライド移動させるために、連結子４０に係合する係合部３２１が設けられている。
【００３３】
また、案内路１１１の前端には、案内路１１１を係合部３２１から離れる方向に屈曲させて、連結子４０が係止可能な鉤部１１２が形成されている。
【００３４】
引出し２０を前方に引いて可動レール３２を前方にスライドさせると、係合部３２１に係合された連結子４０は紐３３４を引っ張りながら案内路１１１に沿って前方に移動する（図７の（ａ）から（ｂ）に変化）。連結子４０が案内路１１１の前端に到達すると、連結子４０は鉤部１１２の屈曲形状に沿って係合部３２１から離れるように移動して、係合部３２１との係合が解除され、鉤部１１２に係止する（図７の（ｂ）から（ｃ）に変化）。この状態から引出し２０をさらに前方に引くことができる。ただし、連結子４０との係合は解除されているので、引出し２０はゼンマイバネ３３２に蓄えられたエネルギーによって引き戻されることはない。また、連結子４０は鉤部１１２に係止されているので、ゼンマイバネ３３２のエネルギーは蓄えられた状態のままである。
【００３５】
一方、引出し２０をキャビネット１０に引き込む際には、引出し２０を後方に押して可動レール３２を後方にスライドさせると、鉤部１１２に係止された連結子４０に係合部３２１が当接して、再び連結子４０と係合部３２１は係合する。すると、連結子４０は鉤部１１２から移動して、ゼンマイバネ３３２に蓄えられていたエネルギーが解放されることによってゼンマイバネ３３２を元の形に復元しようとする。これにより、紐３３４はゼンマイバネ３３２の力によってケース３３１に巻き戻され、連結子４０は案内路１１１に沿って後方に移動する。すなわち、引出し２０は、後方に押し込まずともゼンマイバネ３３２の力によって後方に移動することになる。
【００３６】
また、スライドレール３０は、緩衝用のダンパー３４を備えている。そのため、ゼンマイバネ３３２の力によって後方に付勢されて移動する引出し２０は、キャビネット１０に勢いよく衝突することはなく、引出し２０はゆっくりと静かに引き込まれることになる。
【００３７】
ところで、従来の引出しは、前述したとおり、コイルバネを用いて引出しを引き込むようにしていた。そのため、引出しを引き出すにつれてコイルバネのバネ力（引っ張り力）が比例的に増大し（図８（ｅ）参照）、引出しを引き出すために大きな力を必要としていた。
【００３８】
これに対し、本実施形態のスライドレール３０によれば、ゼンマイバネ３３２を用いて引出し２０を引き込むようにしている。ゼンマイバネ３３２は、引き出した量に対して緩やかに増大する。すなわち、ゼンマイバネ３３２のバネ力は、比例的には増大しない（図８（ｄ）参照）。そのため、従来よりも軽い力（小さな力）で引出し２０を引き出すことが可能となる。
【００３９】
また、コイルバネとゼンマイバネ３３２とでは、引出し２０を同じ量引き出したときのバネ力は、ゼンマイバネ３３２の方が小さく抑えられることになる。そのため、連結子４０と係合部３２１との係合が解除される前後での引出し２０を前方に引き出す力の変化も小さくなる。そのため、引出し２０を引き出す力が大きく変わらずに、違和感を低減することができる。
【００４０】
次に、引き込み装置３３をスライドレール３０に取り付ける位置について、具体例を挙げて説明する。
図９は、引き込み装置をスライドレールに取り付けた第一具体例を表す図、図１０は、引き込み装置をスライドレールに取り付けた第二具体例を表す図、図１１は、引き込み装置をスライドレールに取り付けた第三具体例を表す図、図１２は、引き込み装置をスライドレールに取り付けた第四具体例を表す図である。
【００４１】
図９〜図１２に表すように、引き込み装置３３は、可動レール３２が固定レール３１に沿ってスライドする移動軌道から外れた位置に配設されている。
これにより、引き込み装置を可動レールからはみ出す大きさにすることが可能となる。
【００４２】
また、固定レール３１は、キャビネット１０の側板１１に沿う縦壁部３１２と、縦壁部３１２の下方で可動レール３２を支持する下壁部３１３と、を有し、縦壁部３１２と平行になるように、引き込み装置３３を固定レール３１に取り付けている（図２，４，５参照）。
これにより、ゼンマイバネ３３２を内蔵した偏平な引き込み装置３３がキャビネット１０の側板１１に沿う姿勢となるので、引き込み装置３３が収納スペースを狭くすることがない。
【００４３】
引き込み装置３３の取付位置を表す第一の具体例は、前述した実施形態で表した例と同等である。図９に表すように、固定レール３１の下壁部３１３を上下に貫く貫通部３１３ａを設け、貫通部３１３ａより下方に回転軸３３３が位置するように引き込み装置３３を固定レール３１よりも下方に配設している。
これによれば、ゼンマイバネ３３２をキャビネット１０の蹴込部裏の空間に収めることが可能なので、引出し２０を可動レール３２から取り外した場合でもゼンマイバネ３３２がほとんど露出することがないから、ゼンマイバネ３３２をいたずらされにくくなる。
【００４４】
第二の具体例は、図１０に表すように、引き込み装置３３を、固定レール３１の縦壁部３１２のキャビネット１０の側板１１側の面に取り付けている。側板１１には、図示しないが、引き込み装置３３を収容可能な凹部が形成されている。
これによれば、ゼンマイバネ３３２をキャビネット１０の側板１１内に収めることが可能なので、引出し２０を可動レール３２から取り外した場合でもゼンマイバネ３３２が露出することがないから、ゼンマイバネ３３２をいたずらされにくくなる。
なお、この具体例では、紐３３４は、固定レール３１の貫通部３１３ａを通して固定レール３１のキャビネット１０の側板１１側から収納空間側に案内されている。
【００４５】
第三の具体例は、図１１に表すように、固定レール３１の縦壁部３１３の上端部に引き込み装置３３を取り付けている。
これによれば、キャビネット１０に特別な加工を施さなくてもゼンマイバネ３３２を用いることができるので、製造コストを抑えることができる。
【００４６】
第四の具体例は、図１２に表すように、固定レール３１の後端部に引き込み装置３３を取り付けている。
これによれば、第三の具体例と同様に、キャビネット１０に特別な加工を施さなくてもゼンマイバネ３３２を用いることができるので、製造コストを抑えることができる。
【００４７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００４８】
１０  キャビネット
１１  キャビネットの側板
２０  引出し
３０  スライドレール
３１  固定レール
３１２  縦壁部
３１３  下壁部
３１３ａ  貫通部
３２  可動レール
３３  引き込み装置
３３１  ケース
３３２  ゼンマイバネ
３３３  回転軸
３４  ダンパー
【図１】
2015208591.tif 000003
【図２】
2015208591.tif 000004
【図３】
2015208591.tif 000005
【図４】
2015208591.tif 000006
【図５】
2015208591.tif 000007
【図６】
2015208591.tif 000008
【図７】
2015208591.tif 000009
【図８】
2015208591.tif 000010
【図９】
2015208591.tif 000011
【図１０】
2015208591.tif 000012
【図１１】
2015208591.tif 000013
【図１２】
2015208591.tif 000014